(57)【要約】      （修正有）【課題】低温下でも、塵埃捕集性能、空気清浄性能の良い電気掃除機を提供する。【解決手段】電動送風機２と、針状電極２５を冷却するペルチェ素子２３と、針状電極２５に高電圧を印加してナノイーイオンを発生させるナノイーイオン発生手段と、外気を吸引し発生したナノイーイオンを排出する送風ファン３５と、ナノイーイオン発生手段の近傍の温度を検知する温度検出手段３８と、ナノイーイオン発生手段を収納するナノイーイオン発生手段収納室２１と電動送風機２を収納する電動送風機収納室２０を連通する連通路５０と、連通路５０を開閉する通路開閉手段５３を備え、温度検出手段３８で検出された温度が所定値より低い場合、連通路５０を開いて電動送風機２の排気風の一部をナノイーイオン発生手段収納室２１へ流入させるもので、低温下でも塵埃に微粒子水の質量を付加して床面への落下を早めて塵埃の捕集率を向上させることができる。【選択図】図２
2011167276.tif 000002
【特許請求の範囲】
【請求項１】
吸引風を発生させる電動送風機と、放電電極と、前記放電電極を冷却する電極冷却手段と、前記放電電極に高電圧を印加してナノイーイオンを発生させるナノイーイオン発生手段と、外気を吸引し発生した前記ナノイーイオンを排出する送風ファンと、前記ナノイーイオン発生手段の近傍の温度を検知する温度検出手段と、前記ナノイーイオン発生手段が収納されているナノイーイオン発生手段収納室と前記電動送風機が収納されている電動送風機収納室を連通する連通路と、前記連通路を開閉する通路開閉手段を備え、前記温度検出手段で検出された温度が所定値より低い場合に、前記連通路を開いて、前記電動送風機の排気風の一部を前記ナノイーイオン発生手段収納室へ流入させることを特徴とする電気掃除機。
【請求項２】
温度検出手段で検出された温度に応じて通路開閉手段の開閉量を制御し、ナノイーイオン発生手段収納室への排気風流入量を可変させることを特徴とする請求項１に記載の電気掃除機。
【請求項３】
電動送風機収納室内の温度を検出する電動送風機室温度検出手段を備え、検出された前記電動送風機収納室の温度に応じて通路開閉手段の開閉量を制御し、ナノイーイオン発生手段収納室への排気風流入量を可変させることを特徴とする請求項１に記載の電気掃除機。
【請求項４】
動作モードを選択する操作手段を設け、選択された動作モードに応じて通路開閉手段の開閉量を制御し、ナノイーイオン発生手段収納室への排気風流入量を可変させることを特徴とする請求項１記載の電気掃除機。
【請求項５】
温度検出手段で検出された温度が所定値より低い場合、送風ファンを停止させることを特徴とする請求項１〜４のいずれか１項に記載の電気掃除機。
【請求項６】
通路開閉手段をバイメタルで構成し、温度検出手段を兼用することを特徴とする請求項１に記載の電気掃除機。
【請求項７】
連通路のナノイーイオン発生手段収納室側の連通路口を、放電電極近傍に配置したことを特徴とした請求項１〜６のいずれか１項に記載の電気掃除機。
【請求項８】
連通路のナノイーイオン発生手段収納室側の連通路口を、電動送風機からの流入排気風が直接放電電極に吹きつけられないように配したことを特徴とした請求項１〜７のいずれか１項に記載の電気掃除機。
【請求項９】
連通路にフィルターを設けたことを特徴とする請求項１〜８のいずれか１項に記載の電気掃除機。
【発明の詳細な説明】
【技術分野】
【０００１】
本発明は、電気掃除機に関するもので、特に、微粒子発生手段を備えた電気掃除機に関するものである。
【背景技術】
【０００２】
従来のこの種の微粒子発生手段を備えた電気掃除機に関しては、排気経路にイオン発生器を配置させて構成したものが提案されている（例えば、特許文献１参照）。
【０００３】
また、微粒子水で包まれたマイナスイオンの微細粒子（例えば直径で略５〜２０ｎｍ）であるナノメータサイズのマイナスイオンミストは、被付着物に付着すると、該被付着物の脱臭、除菌を行う脱臭、除菌作用を果たすことが知られている（例えば、特許文献２参照）。
【先行技術文献】
【特許文献】
【０００４】
【特許文献１】特開２００８−２１２３８９号公報
【特許文献２】特開２００６−６８７１１号公報
【発明の概要】
【発明が解決しようとする課題】
【０００５】
しかしながら、上記特許文献１に記載されたような従来の電気掃除機は、電動送風機の排気と共に部屋中にイオンを放出させる高電圧の放電電極で構成したイオン発生器と、塵埃を捕集する不織布を用いた集塵袋を内蔵する電気掃除機本体と、前記電動送風機に連通し塵埃を吸引する吸込み具を備え、前記電動送風機の排気で、イオンを部屋中に放出し、室内で対流させる事で、浮遊する塵埃を帯電させ、前記不織布を用いた集塵袋で、前記イオンで帯電された塵埃を捕集するようになっており、イオンの帯電した室内に浮遊する微細塵埃が床面に落下するまでには時間を必要とするため、空気清浄効果が十分得られないといった課題があった。
【０００６】
本発明は、上記従来の課題を解決するもので、低温下であっても放電電極の凍結を防止し、早く確実にマイナスイオンミストを発生させることができる電気掃除機を提供することを目的とする。
【課題を解決するための手段】
【０００７】
前記従来の課題を解決するために、本発明の電気掃除機は、吸引風を発生させる電動送風機と、放電電極と、前記放電電極を冷却する電極冷却手段と、前記放電電極に高電圧を印加してナノイーイオンを発生させるナノイーイオン発生手段と、外気を吸引し発生した前記ナノイーイオンを排出する送風ファンと、前記ナノイーイオン発生手段の近傍の温度を検知する温度検出手段と、前記ナノイーイオン発生手段が収納されているナノイーイオン発生手段収納室と前記電動送風機が収納されている電動送風機収納室を連通する連通路と、前記連通路を開閉する通路開閉手段を備え、前記温度検出手段で検出された温度が所定値より低い場合に、前記連通路を開いて、前記電動送風機の排気風の一部を前記ナノイーイオン発生手段収納室へ流入させるもので、低温下であっても、塵埃に微粒子水の質量を付加して床面への落下を早くし、掃除中の吸込具から吸い取ることができる塵埃の捕集率を向上させるナノイーイオンを早く確実に安定して排出し、しかも、ナノイーイオンの付着した塵埃の脱臭、除菌に効果を果たし、空気清浄効果を良好にする電気掃除機を提供できる。
【発明の効果】
【０００８】
本発明の電気掃除機は、低温下であっても、塵埃に微粒子水の質量を付加して床面への落下を早くし、掃除中の吸込具から吸い取ることができる塵埃の捕集率を向上させるナノイーイオンを早く確実に安定して排出し、しかも、ナノイーイオンの付着した塵埃の脱臭、除菌に効果を果たし、空気清浄効果を良好にすることができる。
【図面の簡単な説明】
【０００９】
【図１】本発明の実施の形態１における電気掃除機の全体斜視図
【図２】同電気掃除機の断面図
【図３】同電気掃除機の制御ブロック図
【図４】同電気掃除機のナノイーイオン発生装置の斜視外観図
【図５】同電気掃除機の空気清浄効果を示すグラフ
【図６】本発明の実施の形態２における電気掃除機の制御ブロック図
【図７】同電気掃除機の断面図
【図８】本発明の実施の形態３における電気掃除機の制御ブロック図
【図９】本発明の実施の形態４における電気掃除機の断面図
【発明を実施するための形態】
【００１０】
第１の発明は、吸引風を発生させる電動送風機と、放電電極と、前記放電電極を冷却する電極冷却手段と、前記放電電極に高電圧を印加してナノイーイオンを発生させるナノイーイオン発生手段と、外気を吸引し発生した前記ナノイーイオンを排出する送風ファンと、前記ナノイーイオン発生手段の近傍の温度を検知する温度検出手段と、前記ナノイーイオン発生手段が収納されているナノイーイオン発生手段収納室と前記電動送風機が収納されている電動送風機収納室を連通する連通路と、前記連通路を開閉する通路開閉手段を備え、前記温度検出手段で検出された温度が所定値より低い場合に、前記連通路を開いて、前記電動送風機の排気風の一部を前記ナノイーイオン発生手段収納室へ流入させるもので、低温下であっても、塵埃に微粒子水の質量を付加して床面への落下を早くし、掃除中の吸込具から吸い取ることができる塵埃の捕集率を向上させるナノイーイオンを早く確実に安定して排出し、しかも、ナノイーイオンの付着した塵埃の脱臭、除菌に効果を果たし、空気清浄効果を良好にする電気掃除機を提供できる。
【００１１】
第２の発明は、特に、第１の発明の温度検出手段で検出された温度に応じて通路開閉手段の開閉量を制御し、ナノイーイオン発生手段収納室への排気風流入量を可変させるもので、例えば、検出された温度が所定温度に近い場合は、開閉量を少なくすることで、電動送風機の排気風の熱によって、ミストが消滅するのを抑制し、逆に、検出温度が所定温度に対しかなり低い場合には、早く放電電極近傍の温度が所定値まで上がるよう、開閉量を多くすれば、低温下において、より早く確実にマイナスイオンミストを発生させる電気掃除機を提供できる。
【００１２】
第３の発明は、特に、第１の発明の電動送風機収納室内の温度を検出する電動送風機室温度検出手段を備え、検出された前記電動送風機収納室の温度に応じて通路開閉手段の開閉量を制御し、ナノイーイオン発生手段収納室への排気風流入量を可変させるもので、例えば、検出温度が所定温度に近い場合は開閉量を少なくすることで、電動送風機の排気風の熱によって、ミストが消滅するのを抑制し、逆に、検出温度が所定温度に対しかなり低い場合には、早く放電電極近傍の温度が所定値まで上がるよう開閉量を多くすれば、低温下において、より早く確実にマイナスイオンミストを発生させる電気掃除機を提供できる。
【００１３】
第４の発明は、特に、第１の発明における電気掃除機に動作モードを選択する操作手段
を設け、選択された動作モードに応じて通路開閉手段の開閉量を制御し、ナノイーイオン発生手段収納室への排気風流入量を可変させるもので、例えば、動作モードが「強」で、吸引力が高く電動送風機の発熱量も多い場合は、開閉量を少なくして、電動送風機の排気風の熱によって、ミストが消滅することを抑制し、逆に、動作モードが「弱」で、吸引力が小さく電動送風機の発熱量も少ない場合には、早く、放電電極近傍の温度が所定値まで上がるよう、開閉量を多くするようにすれば、低温下において、より早く確実にマイナスイオンミストを発生させる電気掃除機を提供できる。
【００１４】
第５の発明は、特に、第１〜４のいずれか一つの発明の温度検出手段で検出された温度が所定値より低い場合、送風ファンを停止させるもので、放電電極への外気の流入を防いで、より早く放電電極近傍の温度を所定値まで上げることができる。これにより、低温下において、より早くマイナスイオンミストを発生させる電気掃除機を提供できる。
【００１５】
第６の発明は、特に、第１の発明の通路開閉手段をバイメタルで構成し、温度検出手段を兼用するもので、構成を容易にして、安価な電気掃除機を提供することができる。
【００１６】
第７の発明は、特に、第１〜６のいずれか一つの発明の連通路のナノイーイオン発生手段収納室側の連通路口を、放電電極近傍に配置したもので、早く放電電極近傍の温度を所定値まで上げることができ、低温下において、より早くマイナスイオンミストを発生させる電気掃除機を提供できる。
【００１７】
第８の発明は、特に、第１〜７のいずれか一つの発明の連通路のナノイーイオン発生手段収納室側の連通路口を、電動送風機からの流入排気風が直接放電電極に吹きつけられないように配したもので、排気風が直接放電電極にあたり、ミストが消滅するのを抑制し、より確実にマイナスイオンミストを発生させる電気掃除機を提供できる。
【００１８】
第９の発明は、特に、第１〜８のいずれか一つの発明の連通路にフィルターを設けたもので、放電電極に塵埃が付着するのを防止することができ、より確実にマイナスイオンミストを発生させる電気掃除機を提供できる。
【００１９】
以下、本発明の実施の形態について、図面を参照しながら説明する。なお、この実施の形態によって本発明が限定されるものではない。
【００２０】
（実施の形態１）
以下、本発明の第１の実施の形態における電気掃除機について、図１〜５を参照しながら説明する。図１は、本実施の形態１における電気掃除機の全体斜視図、図２は、同電気掃除機の断面図、図３は、同電気掃除機の制御ブロック図、図４は、同電気掃除機のナノイーイオン発生装置の斜視外観図である。
【００２１】
図１〜４において、本実施の形態における電気掃除機の電気掃除機本体１は、後部に吸引風を発生する電動送風機２を内蔵し、その前部に、着脱自在で塵埃を捕集するエレクトレット加工された集塵袋３を配置している。集塵袋３の材質は、ポリプロピレン等の熱可塑性繊維で構成されており、空気等の摩擦で帯電することになる。
【００２２】
電気掃除機本体１の後方下部の両側には、１対の走行用の車輪４が回転自在に取着され、底面前部には、同じく走行用のキャスター５が取着されている。電気掃除機本体１には、ホース８の一端が着脱自在に接続され、このホース８の手元には操作手段６があり、操作手段６からの信号を後述の制御手段３０が受け、制御手段３０は、各種の動作モード（例えば、「強」・「中」・「弱」・「切」等の吸込み力）に応じた制御を行うようになっている。
【００２３】
ホース８の電気掃除機本体１との接続部には、塵埃検出手段７が設置されている。塵埃検出手段７は、発光素子７ａと受光素子７ｂを互いに対向させて配置して構成され、発光素子７ａと受光素子７ｂの間を塵埃が通過すると、一時的に受光素子７ｂによる受光が遮られて、パルス波形が発生する。
【００２４】
ホース８の他端は、伸縮自在或いは継ぎ自在の延長管９に接続される。延長管９は、掃除面に接して被掃除面の塵埃等を吸引するための吸込み具１０と接続される。吸込み具１０は、被掃除面の塵埃を掻き上げる回転ブラシ１１と、回転ブラシ１１をベルト１２を介して回転駆動する電動機１３を内蔵している。
【００２５】
図２において、電動送風機２を収納する電動送風機収納室２０とは樹脂等で分離された上方空間部のナノイーイオン発生手段収納室２１には、ナノメータサイズの微粒子水で包まれたマイナスイオンを発生させる為のナノイー制御手段２２と、電極冷却手段としてのペルチェ素子２３、放熱フィン２４、後述の電極などからなるナノイーイオン発生手段３３と、マイナスイオンミストを部屋中に放出し、拡散させるための気流を起こす送風ファン３５が収納され、各々が保持固定されている。
【００２６】
ナノイーイオン発生手段３３は、図４に示すように、放電電極としての針状電極２５とアース電極２６が保持固定されており、針状電極２５は、電気的には絶縁されているが、温度伝達的にペルチェ素子２３と接続されていて、ペルチェ素子２３の電圧印加によって、針状電極２５が冷却され、さらに、ペルチェ素子２３は、放熱フィン２４とも温度伝達的に接続されており、針状電極２５の冷却と相殺される発熱を放熱フィン２４に放熱するようになっている。
【００２７】
ナノイー制御手段２２は、針状電極２５とアース電極２６間に高圧を印加させる高圧発装置２７と、針状電極２５を冷却するペルチェ素子２３に電圧を印加する直流電源手段２８があり、針状電極２５に周辺の水分を結露させる温度で制御している。
【００２８】
この構成により、ナノイーイオン発生手段３３の高電圧（例えば略６０００Ｖ）が印加された針状電極２５は、内蔵するペルチェ素子２３のペルチェ効果によって冷却されて、空気中の水分を結露させ、コロナ放電によって微粒子水で包まれたマイナスイオンの微細粒子（例えば直径で略５〜２０ｎｍのマイナスイオンミスト）が発生するものである。
【００２９】
送風ファン３５は、ナノイーイオンを部屋中に放出し、拡散させるための気流を起こす放出手段で、室内の空気を取り入れ口３６より取り込み、ナノイーイオン発生手段３３に送風し、ナノイーイオン放出口３７よりナノイーイオンを部屋に放出する。２９は、電動送風機２の排気を排出させる主排気口であり、放出されたナノイーイオンを室内に拡散させる気流を発生させる。
【００３０】
ここで電動送風機２の電動送風機収納室２０と、ナノイーイオン発生手段３３のナノイーイオン発生手段収納室２１とを連通させるための連通路５０（連通穴でもよい）があり、電動送風機２の排気の一部が、ナノイーイオン発生手段収納室２１に流入し、ナノイーイオン発生手段３３を経由して、ナノイーイオン放出口３７より放出されるようになっている。
【００３１】
また、ナノイーイオン発生手段収納室２１内のナノイーイオン発生手段３３の針状電極２５の近傍には、温度検出手段３８が配されており、連通路５０には、その連通路５０の通路面積を可変させることのできる通路開閉手段５３が設けられ、温度検出手段３８により検出された温度により、通路開閉制御手段３９を通じ通路開閉手段５３を制御し、連通
路５０の開閉量が制御される構成になっている。
【００３２】
この連通路５０から排出される熱を帯びた電動送風機２からの排気風が流入するナノイーイオン発生手段収納室２１側の連通路口５４は、図２に示すようにナノイーイオン発生手段３３の針状電極２５の近傍に配されている。また針状電極２５の周辺には直接電動送風機２からの排気風が吹き付けられ、マイナスイオンミストが消滅することを抑制する排気風遮断壁５５が設けられている。
【００３３】
５１は、送風ファン３５による室内の空気の取り込みによって、塵埃がナノイーイオン発生手段３３のナノイーイオン発生手段収納室２１に入らないようにするためのフィルターＡで、送風ファン３５の吸気側で使用者が塵埃を取り除けるように取り外しできるようになっている。５２は、連通路５０からの塵埃の侵入を防止するフィルターＢである。
【００３４】
図３は、本実施の形態における電気掃除機の制御ブロック図で、３１は電動送風機２を駆動するための双方向性サイリスタなどで構成された電動送風機駆動手段であり、電動送風機２を位相制御し吸込み力を可変させる。３２は、回転ブラシ１１をベルト１２を介して回転駆動する電動機１３を位相制御するための電動機駆動手段である。
【００３５】
３０は、マイクロコンピュータなどで構成された制御手段である。制御手段３０は、使用者が操作する操作手段６のスイッチ操作情報を取り込み、その情報をもとに、電動機駆動手段３２および電動送風機駆動手段３１へ位相制御するための点弧パルスを出力する制御を行う。
【００３６】
４０はナノイー制御手段２１を動作させるナノイー駆動手段で、制御手段３０が駆動することでナノイー制御手段２１に電力が供給される。ナノイー制御手段２２に電力が供給されると、高圧発生装置２７によって針状電極２５とアース電極２６間に高電圧を印加し、さらに電極冷却手段であるペルチェ素子２３に電圧を印加する。送風ファン３５は、制御手段３０によって制御されている。また、温度検出手段３８によって検出された温度は、制御手段３０を介し、通路開閉制御手段３９にフィードバックされ、通路開閉制御手段３９は、検出された温度に応じて通路開閉手段５３を制御し、連通路５０の通路面積を可変させる。４１は、電気掃除機に電力を供給する商用電源である。
【００３７】
以上のように構成された本実施の形態における電気掃除機について、以下その動作、作用を説明する。
【００３８】
使用者が、操作手段６を操作し、例えば、動作モードの一つである「中」を選択すると、制御手段３０は、操作手段６からの情報を基に、電動送風機駆動手段３１及び電動機駆動手段３２に予め定められた信号を送り、電動送風機２及び電動機１３を駆動させる。そして、制御手段３０は、送風ファン３５を動作させ、送風ファン３５は、取り外し可能なフィルターＡ５１によって塵埃が取り除かれた室内の空気を取り入れ口３６より取り込み、ナノイーイオン発生手段３３を経由してナノイーイオン放出口３７より放出される。
【００３９】
また、制御手段３０は、ナノイー駆動手段４０に信号を送り、ナノイー制御手段２２に電力が印加される。電力が印加されたナノイー制御手段２２は、高圧発生装置２７にて高圧を出力し、ナノイーイオン発生手段３３の針状電極２５とアース電極２６間に印加される。また、直流電源手段２８にて、ペルチェ素子２３に電圧を出力して、針状電極２５を冷却する。針状電極２５が冷却されると周辺の水分が結露して、針状電極２５に水が生成され、水に高電圧が印加されると、微粒子水で包まれたマイナスイオンの微細粒子（例えば直径で略５〜２０ｎｍ）であるナノメータサイズのマイナスイオンミストが生成される。ナノメータサイズのマイナスイオンミストは、マイナスイオン単独で存在する場合より
空気中に長時間（マイナスイオンの約６倍の寿命で）存在することが可能であり、且つ、ナノメータサイズと非常に小さいので、空気中に長時間浮遊できると共に、拡散性が高いので、室内に満遍なく浮遊する。
【００４０】
このとき、温度検出手段３８によって検出された針状電極２５近傍の温度が所定温度（例えば、５℃）以下の場合には、冷却された針状電極２５は、０℃以下となり針状電極２５に結露する水分は凍結してしまいマイナスイオンミストを発生できなくなってしまうため、制御手段３０は、通路開閉制御手段３９を通じ通路開閉手段５３を制御し、連通路５０を開状態にし、電動送風機２で発生した排気風の一部を流入させ針状電極２５近傍の温度を上昇させ、針状電極２５での水分の凍結を抑制し、低温環境下でも確実にナノイーイオンを発生させる。
【００４１】
そして、温度検出手段３８によって検出された針状電極２５近傍の温度が所定温度（例えば、５℃）以上になると、制御手段３０は、通路開閉制御手段３９を通じ通路開閉手段５３を制御し、連通路５０を閉状態にする。
【００４２】
ナノイーイオンを部屋中に放出させる本実施の形態における電気掃除機の構成上、電気掃除機使用開始時における温度検出手段３８によって検出された針状電極２５近傍の温度は外気の温度とほぼ同等であることは言うまでもない。したがって、温度検出手段３８を、外気の温度を検出する手段で構成しても同等の効果が得られる。
【００４３】
温度検出手段３８によって検出された針状電極２５の近傍の温度が所定温度（例えば５℃）よりもかなり低い温度（例えば、−５℃）である場合には、冷却された針状電極２５は、約−１０℃となるため、電動送風機２で発生した排気風を多く流入させ早く針状電極２５近傍の温度を上昇させるよう制御手段３０は、通路開閉制御手段３９を通じ通路開閉手段５３を制御し、連通路５０の通路面積を大きくするようにする。
【００４４】
逆に、温度検出手段３８によって検出された針状電極２５近傍の温度が所定温度（例えば、５℃）に近い温度（例えば４℃）である場合には、電動送風機２の熱によって、ミストが消滅することを抑制するため、電動送風機２で発生した排気風を流入させる量を少なくするよう制御手段３０は、通路開閉制御手段３９を通じ通路開閉手段５３を制御し、連通路５０の通路面積を小さくするようにする。
【００４５】
また、温度検出手段３８によって検出された針状電極２５近傍の温度が所定温度（例えば５℃）より低い場合には、制御手段３０が送風ファン３５を停止させることで、電気掃除機使用開始時における温度検出手段３８によって検出された温度とほぼ同等の温度である外気の流入を抑制し、針状電極２５近傍の温度を早く上昇させることにより、早くナノイーイオンを発生させる。特に、電気掃除機の一般的な使用時間は数分であるためより早くナノイーイオンを発生させることは有用である。
【００４６】
発生したナノイーイオンは送風ファン３５や、電動送風機２の排気の一部の風量によってナノイーイオン放出口３７より排出される。
【００４７】
ナノイーイオン放出口３７から放出されたナノイーイオンは、送風ファン３５の送風と電動送風機２の排気によって室内に拡散され、室内に浮遊する微細な塵埃に付着帯電して、床面に落下させることができる。  ナノイーイオンが付着帯電し落下した塵埃は、吸込み具１０から吸引され、延長管９、ホース８を通過した後、エレクトレット加工された集塵袋３に捕集される。
【００４８】
また、ナノメータサイズのナノイーイオンは、反応性が高く、臭い成分に作用して無臭
成分に分解する能力を持つことが知られており、室内のカーテンや浮遊塵埃等の脱臭の効果が得られると共に、室内に浮遊または付着しているアレルゲン、ウイルス等の不活化やカビ、細菌等の殺菌に対しても高い効果も得られる。
【００４９】
ここで、従来の電気掃除機と本実施の形態における電機掃除機を用いて、空気清浄機の規格ＪＥＭ１４６７の試験法に準じた試験結果を示す。
【００５０】
試験は２０〜３０ｍ３の測定室内で、タバコ吸煙機でタバコ５本を発煙させ、タバコ吸煙機と同程度の撹拌ファン（図示せず）を運転させながら濃度分布を一定にする。その後、電気掃除機を運転しながら、粒子径０．３μｍのタバコの煙の減衰率を時間毎に測定するものである。図５が、上記試験の結果をグラフにしたもので、運転時間５分後の比較では、本実施の形態における電気掃除機の除去率が、従来の電気掃除機より約２０％良い結果であった。
【００５１】
これは従来の電気掃除機に比べ、タバコの煙をより早く床面に沈降させて、集塵していることが、グラフより読み取れる。今回用いたタバコの煙も浮遊塵埃のひとつであるが、浮遊塵埃としては、様々な粒子径の物が存在し、最大では、約１μｍの大きさの物まで存在する。また、沈降性塵埃でも花粉等は、数十μｍの粒子径で浮遊している時間も長い。浮遊している粒子の内、粒子径の大きなものほどより多くのマイナスイオンミストが付着帯電できるので、より早い床面への沈降が期待できるものである。
【００５２】
以上のように、本実施の形態によれば、電動送風機２を備えた電気掃除機において、針状電極２５近傍の温度を検出する温度検出手段３８と、ナノイーイオン発生手段収納室２１と電動送風機収納室２０を連通する連通路５０を備え、温度検出手段３８により検出された検出温度に応じて、通路開閉制御手段３９を通じ通路開閉手段５３を制御し、連通路５０を開閉することで、低温環境下であっても微粒子水の質量を付加して床面への落下を早くし、掃除中の吸込み具１０から吸い取ることができる塵埃の捕集率を向上させるナノイーイオンを早く確実に安定して排出し、さらに、ナノイーイオンの付着した塵埃の脱臭、除菌に効果を果たし、空気清浄効果に優れた電気掃除機を提供することができる。
【００５３】
ナノメータサイズのマイナスイオンミストをイオンのように電動送風機２の排気で放出すると、電動送風機２の熱によって、ミストが消滅し効果が得られなくなってしまうが、本実施の形態では、送風ファン３５で外気を取り込み、熱のない空気でマイナスイオンミストを排出するようにしているので、安定してマイナスイオンミストの効果を得ることができる。
【００５４】
さらに、マイナスイオンを発生させるためには、針状電極２５を放熱フィン２４で冷却して水分を結露させなければならないため、針状電極２５近傍の温度が約５℃以下であると針状電極２５に結露する水分は凍結してしまいマイナスイオンミストを発生できなくなってしまう。外気を吸引することによりマイナスイオンミストを排出する構成となっているため、通常、真冬であれば外気は５℃以下となり、電気掃除機本体１内の電動送風機２の発熱により針状電極２５近傍の温度が上昇するまでマイナスイオンミストを発生させることができない。電気掃除機の通常使用時間は数分であり、電気掃除機使用後の数十秒でマイナスイオンミストを発生させることが有用となってくる。これに対し、本実施の形態では、針状電極２５近傍の温度が低い場合に、電動送風機２の排気風を針状電極２５近傍へ流入させることにより、低温下であっても針状電極２５の凍結を防止することができ、早く確実にマイナスイオンミストを発生させることができる。
【００５５】
（実施の形態２）
本発明の第２の実施の形態における電気掃除機について、図６、７を用いて説明する。
図６は、本実施の形態における電気掃除機の制御ブロック図、図７は、同電気掃除機の断面図である。なお、上記実施の形態１における電気掃除機と同一部分については、同一符号を付してその説明を省略する。
【００５６】
図６、７において、本実施の形態における電気掃除機は、電動送風機収納室２０の温度を検出する電動送風機室温度検出手段６０を備え、電動送風機室温度検出手段６０で検出された温度は制御手段３０を介し、通路開閉制御手段３９にフィードバックされ、通路開閉制御手段３９は、検出温度に応じて通路開閉手段５３を制御し、連通路５０の通路面積を可変させるようにしたもので、他の構成は、上記実施の形態１における電気掃除機と同一である。
【００５７】
以上のように構成された本実施の形態における電気掃除機について、以下その動作、作用を説明する。
【００５８】
温度検出手段３８によって検出された針状電極２５近傍の温度が所定温度（例えば５℃）以下の場合には、冷却された針状電極２５は０℃以下となり針状電極２５に結露した水分は凍結してしまいマイナスイオンミストを発生できなくなってしまうため、制御手段３０は、通路開閉制御手段３９を通じ通路開閉手段５３を制御し、連通路５０を開状態にし電動送風機２で発生した排気風の一部を流入させ、針状電極２５近傍の温度を上昇させ、針状電極２５の凍結を抑制し、低温環境下でも確実にナノイーイオンを発生させる。
【００５９】
このとき、電動送風機室温度検出手段６０によって検出された温度が所定値より高い場合は、電動送風機２で発生した排気風を多く流入させる必要なく針状電極２５近傍の温度を上昇させることができ、電動送風機２の熱によって、ミストが消滅することを抑制するように、制御手段３０は、通路開閉制御手段３９を通じ通路開閉手段５３を制御し、連通路５０の通路面積を小さくするようにする。
【００６０】
逆に、電動送風機室温度検出手段６０によって検出された検出温度が所定値より低い場合は、電動送風機２で発生した排気風を多く流入させ早く針状電極２５近傍の温度を上昇させるよう制御手段３０は、通路開閉制御手段３９を通じ通路開閉手段５３を制御し、連通路５０の通路面積を大きくするようにする。
【００６１】
そして、温度検出手段３８によって検出された針状電極２５近傍の温度が所定温度（例えば５℃）以上になると、制御手段３０は、通路開閉制御手段３９を通じ通路開閉手段５３を制御し、連通路５０を閉状態にする。
【００６２】
以上のように、本実施の形態によれば、電動送風機室温度検出手段６０を設けることにより、ナノイーイオン発生手段収納室２１へ流入させる熱量をより最適に制御できるようになる。
【００６３】
（実施の形態３）
本発明の第３の実施の形態における電気掃除機について、図８を用いて説明する。
【００６４】
図８は、本実施の形態における電気掃除機の制御ブロック図である。なお、上記実施の形態における電気掃除機と同一部分には同一符号を付してその説明を省略する。
【００６５】
本実施の形態における電気掃除機は、使用者が操作する操作手段６のスイッチ操作情報は制御手段３０を介し、通路開閉制御手段３９にフィードバックされ、通路開閉制御手段３９は、選択された動作モード（例えば強・中・弱・切等の吸込み力）に応じて通路開閉手段５３を制御し、連通路５０の通路面積を可変させるようにしたもので、他の構成、作
用は、上記実施の形態における電気掃除機と同一である。
【００６６】
以上のように構成された本実施の形態における電気掃除機について、以下その動作、作用を説明する。
【００６７】
温度検出手段３８によって検出された針状電極２５近傍の温度が所定温度（例えば５℃）以下であった場合には、冷却された針状電極２５は０℃以下となり針状電極２５に結露した水分は凍結してしまいマイナスイオンミストを発生できなくなってしまうため、制御手段３０は、通路開閉制御手段３９を介して通路開閉手段５３を制御し、連通路５０を開状態にし電動送風機２で発生した排気風の一部を流入させ針状電極２５近傍の温度を上昇させて、針状電極２５での水分の凍結を抑制し、低温環境下でも確実にナノイーイオンを発生させる。
【００６８】
このとき、操作手段６で選択された動作モードが「強」の場合は、電動送風機２への通電量が多く電動送風機２の発熱量が多いため、電動送風機２で発生した排気風を多く流入させる必要なく針状電極２５近傍の温度を上昇させることができ、電動送風機２の熱によって、ミストが消滅することを抑制するように、制御手段３０は、通路開閉制御手段３９を通じ通路開閉手段５３を制御し、連通路５０の通路面積を小さくするようにする。
【００６９】
逆に選択された操作手段６で選択された動作モードが「弱」の場合は、電動送風機２への通電量は少なく電動送風機２の発熱量は少ないため、電動送風機２で発生した排気風を多く流入させ早く針状電極２５近傍の温度を上昇させるよう制御手段３０は、通路開閉制御手段３９を通じ通路開閉手段５３を制御し、連通路５０の通路面積を大きくするようにする。
【００７０】
そして、温度検出手段３８によって検出された針状電極２５近傍の温度が所定温度（例えば、５℃）以上になると、制御手段３０は、通路開閉制御手段３９を通じ通路開閉手段５３を制御し、連通路５０を閉状態にする。
【００７１】
以上のように、本実施の形態によれば、選択された吸引力に応じて通路開閉手段５３の開閉量を制御することで、ナノイーイオン発生手段収納室２１へ流入させる熱量をより最適に制御できるようになる。
【００７２】
（実施の形態４）
図９は、本発明の実施の形態４における電気掃除機の断面図である。なお、上記実施の形態における電気掃除機と同一部分には同一符号を付してその説明を省略する。
【００７３】
本実施の形態における電気掃除機は、図９に示すように、上記実施の形態１〜３における通路開閉手段５３に代え、温度によって形状が変化するバイメタルで構成されると共に、連通路５０を開閉する通路開閉手段７０を設けたものである。
【００７４】
以上のように構成された本実施の形態における電気掃除機について、以下その動作、作用を説明する。
【００７５】
針状電極２５近傍の温度が所定温度（例えば５℃）以下になると、冷却された針状電極２５は、０℃以下となり針状電極２５に結露した水分は凍結してしまいマイナスイオンミストを発生できなくなってしまうため、形状が変化するバイメタルで構成された通路開閉手段７０は、連通路５０を開状態にするよう形状を維持し、電動送風機２で発生した排気風の一部を流入させ針状電極２５近傍の温度を上昇させ、針状電極２５の凍結を抑制し、低温環境下でも確実にナノイーイオンを発生させる。
【００７６】
そして、温度検出手段３８によって検出された針状電極２５近傍の温度が所定温度（例えば５℃）以上になると、形状が可変するバイメタルで構成された通路開閉手段７０は連通路５０を開状態にするよう形状を維持する。
【００７７】
以上のように、本実施の形態によれば、通路開閉手段をバイメタルにより構成し、温度検出手段３８と兼用することで、構成を容易にすることができ、安価な電気掃除機を提供することができる。
【産業上の利用可能性】
【００７８】
以上のように、本発明にかかる電気掃除機は、簡便な手段により空気清浄効果の優れたもので、各種家庭用、業務用電気掃除機等に広く適用できる。
【符号の説明】
【００７９】
２  電動送風機
２０  電動送風機収納室
２１  ナノイーイオン発生手段収納室
２２  ナノイー制御手段
２３  ペルチェ素子（電極冷却手段）
２４  放熱フィン
２５  針状電極（放電電極）
２６  アース電極
３３  ナノイーイオン発生手段
３５  送風ファン
３８  温度検出手段
３９  通路開閉制御手段
５０  連通路
５３  通路開閉手段
【図１】
2011167276.tif 000003
【図２】
2011167276.tif 000004
【図３】
2011167276.tif 000005
【図４】
2011167276.tif 000006
【図５】
2011167276.tif 000007
【図６】
2011167276.tif 000008
【図７】
2011167276.tif 000009
【図８】
2011167276.tif 000010
【図９】
2011167276.tif 000011